(57)【要約】  マスカラ用組成物を塗布するためのキットであって、異なるマスカラ用組成物をそれぞれ収容するいくつかのタンク（２）と、マスカラ用組成物のための１又はいくつかの塗布具（３）とを具備してなり、前記塗布具は、キャップ（４）と、加熱可能な塗布具構成部（７）に設けられたロッド（６）を備えることを特徴とする。
2010511455.tif 000002
【特許請求の範囲】
【請求項１】
マスカラ化粧用組成物及び／又はケラチン繊維ヘルスケア用組成物を、特にまつ毛に塗布するためのキットであって、
少なくとも２つのタンク又は調整具（２）と、
前記マスカラ化粧用組成物及び／又はケラチン繊維ヘルスケア用組成物のための少なくとも１つの塗布具（３）とを具備してなり、
前記タンク又は調整具（２）の各々は、マスカラ化粧用組成物及び／又はケラチン繊維ヘルスケア用組成物を有し、
一の組成物は、一のタンク又は調整具（２）に収容され、一の組成物とは異なる他の組成物は、他のタンク又は調整具（２）に収容され、
前記塗布具（３）は、加熱手段（５）が設けられた保持手段又はキャップ（４）と、前記保持手段又はキャップ（４）に接続されるように構成されるロッド（６）とを備え、
前記ロッド（６）は、前記加熱手段（５）によって加熱されるように構成される塗布具構成部（７）を設けた端部を有することを特徴とするキット。
【請求項２】
塗布具構成部（３）の数と同数のタンク又は調整具（２）を具備することを特徴とする請求項１に記載のキット。
【請求項３】
ただ１つの保持手段又はキャップ（４）と、端部に塗布具構成部（７）が設けられた少なくとも２つのロッド（６）とを具備することを特徴とする請求項１に記載のキット。
【請求項４】
保持手段又はキャップ（４）をただ１つ備え、端部に塗布具構成部（７）が設けられたロッド（６）の数は、タンク又は調整具（２）の数に等しいことを特徴とする請求項３に記載のキット。
【請求項５】
ただ１つの塗布具（３）と、少なくとも２つのタンク又は調整具（２）とを具備することを特徴とする請求項１に記載のキット。
【請求項６】
塗布具（３）の塗布具構成部（７）がブラシであることを特徴とする請求項１〜５の何れか一項に記載のキット。
【請求項７】
塗布具（３）の前記保持手段又はキャップ（４）は、コミュータ（８）と、警報灯（９）とを具備することを特徴とする請求項１〜６の何れか一項に記載のキット。
【請求項８】
塗布具（３）の前記加熱手段（５）は、加熱抵抗と、バッテリーとを具備することを特徴とする請求項１〜７の何れか一項に記載のキット。
【請求項９】
請求項１〜８の何れか一項に記載のキットを用いて、少なくとも２つの異なるマスカラ用組成物及び／又はケラチン繊維ヘルスケア用組成物を、まつ毛に少なくとも２回連続的に塗布するステップを具備してなる、ケラチン物質の化粧方法及び／又は非治療的ヘルスケアのための化粧方法。
【請求項１０】
ケラチン物質に太さとボリュームを与えるように、室温で前記ケラチン物質に化粧用組成物及び／又はケラチン繊維組成物を塗布する第１塗布ステップと、
ケラチン物質をブラッシュするとともに、伸ばし、かつ曲線に曲げるように、加温条件下で前記ケラチン物質に化粧用組成物及び／又はケラチン繊維組成物を塗布する第２塗布ステップと、
深く濃厚な色彩効果を与えるように、加温条件下で前記ケラチン物質に化粧用組成物及び／又はケラチン繊維組成物を塗布する第３塗布ステップと
を連続的に具備してなることを特徴とする請求項９に記載の化粧方法。
【請求項１１】
まつ毛に塗布されることを特徴とする請求項９又は１０に記載の化粧方法。
【発明の詳細な説明】
【技術分野】
【０００１】
本発明は、マスカラ化粧用組成物及び／又はケラチン繊維ヘルスケア用組成物を、特にまつ毛に塗布するためのキットに関するものであり、前記キットは、加熱手段が設けられた、前記組成物の調整・塗布手段のセットを具備する。
【背景技術】
【０００２】
加熱手段が設けられた、マスカラタイプの化粧用組成物を調整・塗布する器具は、いくつか従来技術において、特に、ロレアルの特許文献１〜４に開示されてきた。これらの文献において、加熱手段は、塗布される化粧用組成物を収容している調整具（タンクとも呼ばれる）に設けられてもよく、又は、塗布具において、端部に例えばブラシが設けられたロッドに固定された保持手段によって一般に構成してもよい。
【先行技術文献】
【特許文献】
【０００３】
【特許文献１】仏国特許第２，８５３，５０５号明細書
【特許文献２】仏国特許第２，８５２，７９５号明細書
【特許文献３】仏国特許第２，８５７，２５５号明細書
【特許文献４】仏国特許第２，８５７，２５６号明細書
【発明の概要】
【発明が解決しようとする課題】
【０００４】
しかしながら、マスカラ器具では数多くの開示があるにも拘わらず、それでもまだ、ケラチン繊維、特にまつ毛を太くするとともに、ボリュームを与え、かつ伸ばし、なおかつ曲線に曲げ、しかも深く高密度な彩色効果を与えることを同時に可能にする器具の必要性がある。市場で入手可能なマスカラ使用すると、まつ毛に束が形成されること、乾いたテクスチャー、不十分なカーブなどに関して、それでもまだ一般に問題が生じる。
【課題を解決するための手段】
【０００５】
それゆえ、本発明の目的は、マスカラ化粧用組成物及び／又はケラチン繊維ヘルスケア用組成物を、特にまつ毛に塗布するためのキットを提供することであり、前記キットは、
少なくとも２つのタンク又は調整具と、
前記マスカラ化粧用組成物及び／又はケラチン繊維ヘルスケア用組成物のための少なくとも１つの塗布具とを具備してなり、
前記タンク又は調整具の各々は、マスカラ化粧用組成物及び／又はケラチン繊維ヘルスケア用組成物を有し、
一の組成物は、一のタンク又は調整具に収容され、一の組成物とは異なる他の組成物は、他のタンク又は調整具に収容され、
前記塗布具は、加熱手段が設けられた保持手段又はキャップと、
前記保持手段又はキャップ（４）に接続されるように構成されるロッドとを備え、
前記ロッド（６）は、前記加熱手段によって加熱されるように構成される塗布具構成部を設けた端部を有することを特徴とする。
【０００６】
塗布具は、前記タンク内に収容されたマスカラ化粧用組成物及び／又はケラチン繊維ヘルスケア用組成物の適量を塗布具構成部によって取るように、調整具又はタンクに挿入されることを意図されている。
【０００７】
一度、塗布具構成部及びロッドが調整具又はタンクに挿入されると、塗布及び調整セット（マスカラとも呼ばれるもの）を形成するために、タンクを保持手段又はキャップによって閉めるように、保持手段又はキャップが調整具又はタンクにねじ込まれる。
【０００８】
本発明の構成によれば、キットによって提供される保持手段又はキャップは、端部に塗布具構成部が設けられたロッドに固定されるとき、調整具を準備するために、ロッドの自由端に前記保持手段を接続する必要がある。
【０００９】
本願明細書及び特許請求の範囲において用いられるような「異なる組成物」によって、１つからその他の異なる効果を有する組成物を意味する。それゆえ、第１タンクに収容された組成物は、例えば、まつ毛に関して基本的に太さとボリューム効果を与えることができ、一方、第２タンクに収容された組成物は、例えば、基本的にまつ毛を伸ばすとともに曲線に曲げる効果を与えることができる。同様に、第３タンクに収容された組成物は、例えば、基本的にまつ毛に深く濃厚な色彩を与えることができる。
【００１０】
本発明のキットについて好ましくは、いくつかの組成物はそれぞれ非常に特別な簡略化されたテクスチャーをもたらすように提供され、それゆえ、各組成物に対して効果を増大することが可能となる。
【００１１】
本発明のキットを用いることによって、まつ毛を太くするとともに、ボリュームを与え、かつブラッシュし、なおかつ伸ばし、さらに曲線に曲げ、しかも深く濃厚な色彩を与えることが同時に可能になる。
【００１２】
本発明の好ましい構成によれば、本発明のキットは、塗布具構成部の数と同数のタンク又は調整具を具備する。
【００１３】
本発明の構成は、例えば、保持手段又はキャップは、端部に塗布具構成部が設けられたロッドに固定され、それらが互いに離れる可能性はなく、タンクは異なる色彩の組成物を収容する。
【００１４】
本発明のさらに他の好ましい構成によれば、キットは、ただ１つの保持手段又はキャップと、端部に塗布具構成部が設けられた、少なくとも２つのロッドとを具備する。
【００１５】
本発明のさらに他の好ましい構成によれば、キットは、保持手段又はキャップをただ１つ備え、端部に塗布具構成部が設けられたロッドの数は、タンク又は調整具の数に等しい。
【００１６】
本発明の構成は、例えば、保持手段又はキャップがロッドに固定されなければならず、タンクは異なる色彩の組成物を収容する。
【００１７】
本発明のさらに他の好ましい構成によれば、キットは、ただ１つの塗布具と、少なくとも２つのタンク又は調整具とを具備する。
【００１８】
本発明の構成は例えば、保持手段又はキャップがロッドに固定され、それらは互いに離れる可能性が無く、タンクは、同じ色彩ではあるが異なる効果を有する組成物を収容する。
【００１９】
塗布具の塗布具構成要素は、好ましくは、ブラシであってもよい。用いるブラシは、例えば、形状及び性質に関して、所望の効果に基づいて異なってもよく同じでもよい。
【００２０】
塗布具の保持手段又はキャップは、コミュテータと、警報灯とを具備する。
【００２１】
保持手段又はキャップの外側部分に設けられたコミュテータは、保持手段内の加熱手段を動作させることが意図されている。
【００２２】
保持手段又はキャップの外側部分に設けられた警報灯は、所望の温度が得られるときにスイッチをオフにする。
【００２３】
塗布具の加熱手段は、加熱抵抗と、バッテリーとを具備する。
【００２４】
前記加熱手段は、塗布具構成部を加熱することを可能にする。塗布具構成部をマスカラ化粧用組成物に挿入することによって、前記塗布具構成部に適量のマスカラ化粧用組成物を付着することが可能である。塗布具構成部が加熱されると、マスカラ用組成物も塗布具構成部と接触して加熱される。それゆえ、付着されるとともに加熱された適量のマスカラ用組成物は、最大限に審美的効果を有する。
【００２５】
一般に、温度６０〜７０℃は、まつ毛を焦がすことなく、まつ毛を処理するのに良い条件を可能にすると考えられる。
【００２６】
このような温度は、利用者によってコミュテータがオンされた後、約４〜５分で到達される。
【００２７】
本発明の目的はまた、前述のキットを用いて、少なくとも２つの異なるマスカラ用組成物及び／又はケラチン繊維ヘルスケア用組成物を、まつ毛に少なくとも２回連続的に塗布するステップを具備する、ケラチン物質の化粧方法及び／又は非治療的ヘルスケアのための化粧方法を提供することである。
【００２８】
本発明の好ましい構成によれば、前述の化粧方法は、
ケラチン物質に太さとボリュームを与えるように、室温で前記ケラチン物質に化粧用組成物及び／又はケラチン繊維組成物を塗布する第１塗布ステップと、
ケラチン物質をブラッシュするとともに、伸ばし、かつ曲線に曲げるように、加温条件下で前記ケラチン物質に化粧用組成物及び／又はケラチン繊維ヘルスケア用組成物を塗布する第２塗布ステップと、
深く濃厚な色彩効果を与えるように、加温条件下で前記ケラチン物質に化粧用組成物及び／又はケラチン繊維組成物を塗布する第３塗布ステップと
を連続的に具備してなることを特徴とする。
【００２９】
しかしながら、前記ステップは、加温条件下で第１塗布を開始し、室温での塗布で終了することによる、異なる順番で実行してもよい。
【００３０】
前述の本発明の化粧処理は、より詳細には、まつ毛に塗布される。
【図面の簡単な説明】
【００３１】
【図１】本発明の好ましい実施形態である、３つのタンク又は調整具と、３つの塗布具とを具備するキットを示す略図である。
【図２】本発明の他の好ましい実施形態である、３つのタンク又は調整具と、端部に塗布具構成部を設けた３つのロッドと、１つの保持手段又はキャップとを具備するキットを示す略図である。
【発明を実施するための形態】
【００３２】
本発明は、図面を参照することによってよりよく理解される。これらの図面は単に例示であって、本発明を限定するものではない。
【００３３】
本発明をよりよく理解するために、図１及び図２は、それぞれ開状態における調整・塗布セット１０を示す。すなわち、塗布具３は閉状態で閉じた調整・塗布セット１０を形成するために、タンク又は調整具２に挿入され、かつ、ねじ込まれていない状態を表している。
【００３４】
しかしながら、本発明によれば、調整・塗布セット１０は、閉状態のキット１の中に提示される。
【００３５】
図１は、マスカラ用化粧組成物及び／又はケラチン繊維ヘルスケア用組成物を、特にまつ毛に塗布するためのキット１を示し、前記キット１は、
少なくとも２つのタンク又は調整具２（図１の例において、キット１は３つのタンク２を含む）と、
前記マスカラ化粧用組成物及び／又はケラチン繊維ヘルスケア用組成物のための少なくとも１つの塗布具３（図１の例において、キット１は３つの塗布具３を含む）とを具備してなり、
前記タンク又は調整具２の各々は、マスカラ化粧用組成物及び／又はケラチン繊維ヘルスケア用組成物を有し、
一の組成物は、一のタンク又は調整具２に収容され、一の組成物とは異なる他の組成物は、他のタンク又は調整具２に収容され（例えば、第１タンク２に収容された第１組成物は、まつ毛に関して基本的に太さとボリュームの効果を与えることができる一方で、第２タンク２に収容された第２組成物は、基本的にまつ毛を伸ばすことができるとともに、曲線に曲げる効果を与えることができ、かつ、第３タンク２に収容された第３組成物は、基本的にまつ毛に深く濃厚な色彩を与えることができる）、
前記塗布具３の各々は、加熱手段５が設けられた保持手段又はキャップ４と、前記保持手段又はキャップ４に接続されるように構成されるロッド６とを備え、
前記ロッド６は、前記加熱手段５によって加熱されるように構成される塗布具構成部７（例えば、ブラシ又は類似物）を設けた端部を有する。
【００３６】
塗布具３は、塗布具構成部７によって、前記タンク２に収容されたマスカラ化粧用組成物及び／又はケラチン繊維ヘルスケア組成物の適量を取るように、調整具又はタンク２に挿入されるように意図されている。
【００３７】
一度、塗布具構成部７及びロッド６がタンク又調整具２に挿入されると、塗布及び調整セット１０を形成するために、タンク２を保持手段又はキャップ４によって閉めるように、保持手段又はキャップ４が調整具又はタンク２にねじ込まれる。
【００３８】
本発明のキット１を用いることによって、まつ毛を太くするとともに、ボリュームを与え、かつブラッシュし、なおかつ伸ばし、さらに曲線に曲げ、しかも深く濃厚な色彩を与えることを同時に可能にする。
【００３９】
前記塗布具３の保持手段又はキャップ４は、コミュテータ（commutator）８と、警報灯９とを具備している。保持手段又はキャップ４の外側部分に設けられたコミュテータ８は、保持手段４内に位置する加熱手段５を動作させることが意図されている。保持手段又はキャップ４の外側部分に設けられた警報灯９は、所望の温度が得られるときにスイッチをオフにする。
【００４０】
前記塗布具３の加熱手段５は、加熱抵抗と、バッテリーとを具備している。前記加熱手段５は、公知の方法によって、塗布具構成部７を加熱することを可能にする（加熱手段の加熱抵抗を、例えば、ブラシ７を有するロッド６に挿入してもよい）。塗布具構成部７が加熱されると、マスカラ用組成物が塗布具構成部７と接触するときにマスカラ用組成物を加熱する。それゆえ、塗布具構成部７に付着するとともに加熱された適量のマスカラ用組成物は、最大限に審美的効果を有する。一般に、温度６０〜７０℃は、まつ毛を焦がすことなく、まつ毛を処理するのに良い条件を可能にすると考えられる。このような温度は、利用者によってコミュテータ８がオンされた後、約４〜５分で到達される。
【００４１】
前述のキット１は、少なくとも２つの異なるマスカラ用組成物及び／又はケラチン繊維ヘルスケア用組成物を、前述のキットを用いることによって、まつ毛に少なくとも２回連続的に塗布するステップを具備する、ケラチン物質の化粧方法及び／又は非治療的ヘルスケアのための化粧方法を提供することを可能にする。
【００４２】
図１の例において、前述の化粧方法は、
ケラチン物質に太さとボリュームを与えるように、室温で前記ケラチン物質に化粧用組成物及び／又はケラチン繊維組成物を塗布する第１塗布ステップと、
ケラチン物質をブラッシュするとともに、伸ばし、かつ曲線に曲げるように、加温条件下で前記ケラチン物質に化粧用組成物及び／又はケラチン繊維組成物を塗布する第２塗布ステップと、
深く濃厚な色彩効果を与えるように、加温条件下で前記ケラチン物質に化粧用組成物及び／又はケラチン繊維組成物を塗布する第３塗布ステップと
を連続的に具備してなる。
【００４３】
図２に示した実施形態によれば、キット１を準備する場合、端部に塗布具構成部７が設けられたロッド６もまた、タンク又は調整具２の中に挿入される。この第２実施形態は、図１の実施形態と同様であるがゆえに、再度詳細な記載はしない。図２の実施形態は、基本的にキット１は、ただ１つの保持手段又はキャップ４と、３つのロッド６においてそれぞれが有する塗布具構成部７とを具備する点において、図１の実施形態とは区別される。それゆえ、キット１の使用中、保持手段又はキャップ４は、３つのロッド６に連続的に固定されている。
【００４４】
この実施形態において、ロッドがキャップに連結されるとき、各ロッド６内に設けられた加熱手段が、キャップの相補的電気コネクタ５に接続される電気的コネクタを具備する。
【符号の説明】
【００４５】
１・・・キット
２・・・タンク又は調整具
３・・・塗布具
４・・・保持手段又はキャップ
５・・・加熱手段
６・・・ロッド
７・・・塗布具構成部
１０・・・調整・塗布セット
【図１】
2010511455.tif 000003
【図２】
2010511455.tif 000004
【国際調査報告】
2010511455.tif 000005
2010511455.tif 000006